(57)【要約】【課題】      沈み動作が早く、沈み動作と引き上げ動作で敏速に姿勢を変えることが出来る餌木を提供することである。【解決手段】  餌木１は、餌木本体２が合成樹脂で外形はイカ釣りに適したエビ、シャコ等を模した形状に形成されて餌木本体２の尾側に支柱３が固定されて支柱３に複数の笠針４が固定されて餌木本体２の前方側の下方に落下を促すための錘部７が固定されて錘部７に貫通孔７ａが穿設されている。  貫通孔７ａにはフック８が着脱可能に取り付けられてフック８に揺動重り９が固定されている。  フック８は金属線を屈折して貫通孔７ａに余裕を持って揺動可能にかつ着脱可能に挿通されて前後方向に揺動可能に取り付けられている。【選択図】        図６
2010081831.tif 000002
【特許請求の範囲】
【請求項１】
餌木本体の前方側の下方に取り付け位置を中心に前後方向に揺動可能な揺動重りを取り付けたことを特徴とする餌木。
【請求項２】
餌木本体の前方側の下方に錘部を固定し、該固定の錘部に揺動可能な揺動重りを取り付けたことを特徴とする請求項１記載の餌木。
【請求項３】
餌木本体の前方側の下方に揺動可能な揺動重りをフックで着脱可能に取り付けたことを特徴とする請求項１および２記載の餌木。
【発明の詳細な説明】
【技術分野】
【０００１】
本発明は、沈み動作を敏速にした餌木に関する。
【背景技術】
【０００２】
従来イカ釣り用のルア−（疑似餌）に餌木（エギ）と呼ばれるものがある。
イカを掛ける部分は放射状に広がった笠針が用いられている。
特許文献１のように餌木本体の前方側の下方にワイヤ−を設けてこのワイヤ−に重りとゴム管をスライド可能に設けて沈み姿勢と泳動姿勢を調整出来る提案がある。
しかし、調整された位置に重りが固定的に位置しているので、餌木の沈み速度及び沈み姿勢と釣竿をあおる動作による餌木の引き上げ、沈み速度及び引き上げ、沈み姿勢を敏速にすることができず、キャスティングから手元に引き上げるまでの引き上げ、沈下の動作軌跡が緩やかな波状のカ−ブのなかで動作されることになって魚を引き付ける動作にならない欠点がある。
【特許文献１】特開２００３−２０４７３４号公報
【発明の開示】
【発明が解決しようとする課題】
【０００３】
解決しようとする問題点は、調整された位置に重りが固定的に位置しているので、餌木の沈み速度及び沈み姿勢と釣竿をあおる動作による餌木の引き上げ、沈み速度及び引き上げ、沈み姿勢を敏速に異なる状態にすることができず、キャスティングから手元に引き上げるまでの動作軌跡が緩やかな波状のカ−ブのなかで動作されることになって魚を引き付ける動作にならないことである。
【０００４】
本発明の目的は前記欠点に鑑み、沈み動作が早く、沈み動作と引き上げ動作で敏速に姿勢を変えることが出来る餌木を提供することである。
【課題を解決するための手段】
【０００５】
本発明の請求項１は、餌木本体の前方側の下方に取り付け位置を中心に前後方向に揺動可能な揺動重りを取り付けたことを要旨とするものである。
本発明の請求項２は、餌木本体の前方側の下方に錘部を固定し、該固定の錘部に揺動可能な揺動重りを取り付けたことを要旨とするものである。
本発明の請求項３は、餌木本体の前方側の下方に揺動可能な揺動重りをフックで着脱可能に取り付けたことを要旨とするものである。
【発明の効果】
【０００６】
本発明の請求項により、揺動重りが餌木本体から離れた位置で錘部の貫通孔にフックで前後方向に揺動可能に下方に向けてぶら下がっているので、餌木の浮き沈み動作が急角度で展開され、キャスティングから手元に引き寄せる間に餌木が幾回も上下動することになってイカを誘う機会が多くなる。
【発明を実施するための最良の形態】
【０００７】
餌木１は、餌木本体２が合成樹脂で外形はイカ釣りに適したエビ、シャコ等を模した形状に形成されて餌木本体２の尾側に支柱３が固定されて支柱３に複数の笠針４が固定されている。
餌木本体２の前方側の下方に落下を促すための錘部７が固定されて錘部７に貫通孔７ａが穿設されている。
貫通孔７ａにはフック８が着脱可能に取り付けられてフック８に揺動重り９が固定されている。
フック８は金属線を屈折して貫通孔７ａに余裕を持って揺動可能にかつ着脱可能に挿通されて前後方向に揺動可能に取り付けられている。
【実施例１】
【０００８】
以下、図示の実施例によって本発明を説明すると、図１から図６は第１実施例で図１は餌木の側面図、図２は餌木の断面正面図と揺動重りの離脱時の説明図、図３はキャスティング時の釣竿と釣糸と餌木の側面図、図４はキャスティング時の餌木の姿勢を説明する拡大側面図、図５は釣竿をあおった時の餌木の姿勢を説明する拡大側面図、図６はキャスティング時と釣竿をあおった時の餌木の姿勢を説明する拡大側面図である。
【０００９】
餌木１は、餌木本体２が合成樹脂で外形はイカ釣りに適したエビ、シャコ等を模した形状に形成されて餌木本体２の尾側に支柱３が固定されて支柱３に複数の笠針４が固定されている。
餌木本体２の前側には釣糸係止部５が固定されて釣糸６が取り付けられている。
餌木本体２の前方側の下方に水中の落下を促すための板状の錘部７が固定されて錘部７に左右方向の貫通孔７ａが穿設されている。
貫通孔７ａにはフック８が着脱可能に取り付けられてフック８に揺動重り９が固定されている。
フック８は金属線を屈折してフック８の径より大きい貫通孔７ａに余裕を持って揺動可能にかつ着脱可能に挿通されて前後方向に揺動可能に取り付けられている。
フック８の揺動中心線を図２でａとする。
前記説明では、フック８は逆三角形状に折曲形成されたが、丸形等に形成してもよい。
【００１０】
餌木１がキャスティングされると、図３、図４、図６（ａ）のようにフック８と揺動重り９が貫通孔７ａ位置で揺動中心線ａを中心に揺動重り９の重心Ｇが垂直下方に移動されて水中に落下される。
キャスティングで揺動重り９が真下に向かうので餌木本体２が頭から沈み易く、沈み動作が早く、沈み方向に姿勢を崩さずに沈んで行く。
餌木１が釣竿のあおりで引き上げられると、図５、図６（ｂ）のように餌木本体２の頭が上方に引き上げられていきなり浮き上げられ、あおり動作が終了するとその後図６（ｃ）のように揺動重り９で頭を下に引き下げられる。
【００１１】
頭が上方に引き上げられた時、フック８と揺動重り９が貫通孔７ａ位置を中心に揺動重り９は垂直下方に移動され、あおり動作が終了すると、揺動重り９が下方に向いているので敏速に揺動重り９の重さで頭を下に引き下げられる。
この上下方向の浮き沈み動作は、沈む時揺動重り９が餌木本体２から離れた位置で下方に向けてぶら下がっているので急角度で展開される。
餌木１の浮き沈み動作が急角度で展開され餌木１の上向きと下向きがす早く変わると、イカを誘うので効果がある。
浮き沈み動作が急角度で展開されると、キャスティングから手元に引き寄せる間に幾回も上下動することになってイカを誘う機会が多くなる。
特許文献１の従来例の場合は、キャスティングから手元に引き上げるまでの動作軌跡が緩やかな正弦波状のカ−ブのなかで動作されることになって魚を引き付ける効果が弱い。
【００１２】
前記のように餌木が構成されていると、揺動重り９が餌木本体２から離れた位置で前後方向に揺動可能に下方に向けてぶら下がっているので、餌木１の浮き沈み動作が急角度で展開され、キャスティングから手元に引き寄せる間に餌木１が幾回も上下動することになってイカを誘う機会が多くなる。
【実施例２】
【００１３】
図７は第２実施例で図７は餌木の側面図である。
【００１４】
第２実施例の餌木１は、餌木本体２の前方側の下方に落下を促すための錘部７が固定されて錘部７に複数の貫通孔７ａが穿設されて貫通孔７ａの一つにフック８で揺動重り９が前後方向に揺動可能でかつ着脱可能に取り付けられている。
揺動重り９はフック８を着脱して複数の貫通孔７ａを選択して取り付けることができる。
他の構成は前記第１実施例と略同一である。
【実施例３】
【００１５】
図８は第３実施例で図８は餌木の断面正面図である。
【００１６】
第３実施例の餌木１は、餌木本体２の前方側の下方に落下を促すための錘部７が固定されて錘部７に貫通孔７ａが穿設されてスナッブ８′（フック）が前後方向に揺動可能でかつ着脱可能に取り付けられ、スナッブ８′に揺動重り９が固定されている。
他の構成は前記第１実施例と略同一である。
【実施例４】
【００１７】
図９は第４実施例で図９は餌木の側面図である。
【００１８】
第４実施例の餌木１は、餌木本体２の錘部が省略されて餌木本体２の前方側の下方に貫通孔２ａが穿設されてスナッブ８′が前後方向に揺動可能でかつ着脱可能に取り付けられ、スナッブ８′に揺動重り９が固定されている。
第４実施例の餌木１は揺動重り９によって沈下するように形成されている。
他の構成は前記第１実施例と略同一である。
【産業上の利用可能性】
【００１９】
本発明は餌木全般に利用できる。
【図面の簡単な説明】
【００２０】
【図１】第１実施例で、餌木の側面図である。
【図２】同餌木の断面正面図と揺動重りの離脱時の説明図である。
【図３】同キャスティング時の釣竿と釣糸と餌木の側面図である。
【図４】同キャスティング時の餌木の姿勢を説明する拡大側面図である。
【図５】同釣竿をあおった時の餌木の姿勢を説明する拡大側面図である。
【図６】同キャスティング時と釣竿をあおった時の餌木の姿勢を説明する拡大側面図である。
【図７】第２実施例で、餌木の側面図である。
【図８】第３実施例で、餌木の断面正面図である。
【図９】第４実施例で、餌木の側面図である。
【符号の説明】
【００２１】
１  餌木
２  餌木本体
７  錘部
８、８′  フック
９  揺動重り
【図１】
2010081831.tif 000003
【図２】
2010081831.tif 000004
【図３】
2010081831.tif 000005
【図４】
2010081831.tif 000006
【図５】
2010081831.tif 000007
【図６】
2010081831.tif 000008
【図７】
2010081831.tif 000009
【図８】
2010081831.tif 000010
【図９】
2010081831.tif 000011